(57)【要約】      （修正有）【課題】直交周波数分割多元接続（ＯＦＤＭＡ）無線通信システムのランダム・アクセス制御チャネルにおいて通信をインターレースするための装置及び方法を提供する。【解決手段】無線通信デバイスは、リンク制限の状態下で動作することがある。無線通信デバイスは、複数の取り扱いセクタ間の通信をインターレースすることができる。無線通信デバイスは、通信がそれを介してスケジュールされる別個の制御チャネルの数に等しい数のインターレースで該制御チャネル通信をインターレースすることができる。別の実施形態では、無線通信デバイスは、複数のスケジュールされた制御チャネル通信を２又はそれより多くの集合に分割する。さらに別の実施形態では、無線通信デバイスは、取り扱いセクタとの制御チャネル通信のために第１のインターレースを確保することができ、そして第２のインターレースに残りの制御チャネル通信を時間多重化することができる。【選択図】図４Ｅ
2011091803.tif 000002
【特許請求の範囲】
【請求項１】
無線デバイスに割り当てられた複数の制御チャネルを介して通信を構成する方法であって、
複数の制御チャネル・インターレースを決定すること；及び
該複数の制御チャネル・インターレースを介して該複数の制御チャネルに対する制御チャネル通信を割り当てること、
を具備する方法。
【請求項２】
該複数の制御チャネル・インターレースを決定することは；
該無線デバイスに割り当てられた別個の制御チャネルの数を決定すること；及び
該無線デバイスに割り当てられた複数の別個の制御チャネルのそれぞれに対して制御チャネルを設定すること、
を備える、請求項１の方法。
【請求項３】
該複数の制御チャネル・インターレースを決定することは；
該複数の制御チャネルのうちで別個の制御チャネルの数の決定すること；及び
該複数の制御チャネルの各々に別個の制御チャネル・インターレースを割り当てることを備える、請求項１の方法。
【請求項４】
該複数の制御チャネル・インターレースを決定することは、予め決められた数の制御チャネル・インターレースを決定することを備える、請求項１の方法。
【請求項５】
制御チャネル通信を割り当てることは：
取り扱いセクタの制御チャネル通信のために第１の制御チャネル・インターレースを割り当てること；及び
少なくとも１つの非取り扱いセクタとの制御チャネル通信のために該第１の制御チャネル・インターレースとは異なる第２の制御チャネル・インターレースを割り当てることを備える、請求項１の方法。
【請求項６】
該無線デバイスに割り当てられたデータ・チャネル・インターレースを決定すること；及び
該第２の制御チャネル・インターレースがデータ・チャネル・インターレースに一致するときに、該第２の制御チャネル・インターレースにおける情報をパンクチャすること、をさらに備える、請求項５の方法。
【請求項７】
制御チャネル通信を割り当てることは、該制御チャネル・インターレースに基づいて該制御チャネルのうちの特定の１つに対する制御メッセージを構成することを備える、請求項１の方法。
【請求項８】
制御チャネル通信を割り当てることは：
該複数の制御チャネル・インターレースからアクティブな制御チャネル・インターレースを決定すること；
該アクティブな制御チャネル・インターレースに対応する論理制御チャネルを構成すること；及び
直交周波数分割多重化（ＯＦＤＭ）シンボルのサブキャリアの部分集合にマッピングすること
を備える、請求項１の方法。
【請求項９】
サブキャリアの該部分集合に該論理制御チャネルをマッピングすることは、周波数ホッピング・アルゴリズムにしたがって、該サブキャリアの部分集合に該論理制御チャネルをマッピングすることと、
第１の制御チャネル・インターレースとは異なる制御チャネル・インターレース、
とを備える、請求項８の方法。
【請求項１０】
無線デバイスに割り当てられた複数の制御チャネルを介して通信を構成する方法であって、
ハンドオフ状態を判断すること；
取り扱いセクタの制御チャネル割当てを決定すること；
非取り扱いセクタの少なくとも１つの制御チャネル割当てを決定すること；
制御チャネル・インターレースを決定すること；
該取り扱いセクタの該制御チャネル割当て又は該非取り扱いセクタの該少なくとも１つの制御チャネル割当てのうちの１つに対する制御メッセージを選択的に構成すること；及び
該制御メッセージを送信すること
を具備する方法。
【請求項１１】
少なくとも１つの直交周波数分割多重化（ＯＦＤＭ）シンボル中の複数のサブキャリアに該制御メッセージをマッピングすることをさらに具備する、請求項１０の方法。
【請求項１２】
該制御チャネル・インターレースを決定することは：
該取り扱いセクタの該制御チャネル割当てに対応する第１の制御チャネル・インターレースを決定すること；及び
該非取り扱いセクタの該少なくとも１つの制御チャネル割当てに対応する少なくとも１つの追加制御チャネル・インターレースを決定すること
を備える、請求項１０の方法。
【請求項１３】
該制御メッセージを選択的に構成することは：
データ・インターレースを決定すること；及び
該データ・インターレースが該制御チャネル・インターレースの少なくとも一部分と重なる場合に、そして該制御メッセージが該非取り扱いセクタの該少なくとも１つの制御チャネル割当てに対して構成される場合に、該制御メッセージをパンクチャすること、
を備える、請求項１０の方法。
【請求項１４】
複数の割り当てられた制御チャネルを介して通信を構成する装置であって、
取り扱いセクタに対応する論理制御チャネルを介した通信のために第１の制御メッセージを選択的に構成するために構成された取り扱いセクタ制御モジュール；
非取り扱いセクタに対応する論理制御チャネルを介した通信のために第２の制御メッセージを選択的に構成するために構成された非取り扱いセクタ制御モジュール；及び
制御チャネル・インターレースを決定するため、そして該制御チャネル・インターレースに基づいて該取り扱いセクタ制御モジュール又は非取り扱いセクタ制御モジュールのうちの１つをアクティブにするために構成されたインターレース・コントローラ
を具備する装置。
【請求項１５】
該インターレース・コントローラは、第１の制御チャネル・インターレースの間に該取り扱いセクタ制御モジュールをアクティブにするため、そして第２の制御チャネル・インターレースの間に該非取り扱いセクタ制御モジュールをアクティブにするために構成される、請求項１４の装置。
【請求項１６】
該インターレース・コントローラは、データ・インターレースを決定するため、そして該制御チャネル・インターレースが該データ・インターレースの少なくとも一部分と重なる非取り扱いセクタ制御チャネル・インターレースに対応するときに該非取り扱いセクタ制御モジュールに対応する制御メッセージをパンクチャするために構成される、請求項１４の装置。
【請求項１７】
該インターレース・コントローラは、取り扱いセクタ制御チャネル割当て及び少なくとも１つの非取り扱いセクタ制御チャネル割当てのそれぞれに別個の制御チャネル・インターレースを割り当てるために構成される、請求項１４の装置。
【請求項１８】
該非取り扱いセクタ制御モジュールは、複数の非取り扱いセクタのそれぞれに制御メッセージをインターレースするために構成される、請求項１４の装置。
【請求項１９】
該非取り扱いセクタ制御モジュールは、複数の非取り扱いセクタ制御チャネルのそれぞれに対応する複数の制御メッセージを同時に構成するために構成される、請求項１４の装置。
【請求項２０】
該取り扱いセクタ制御モジュール及び該非取り扱いセクタ制御モジュールに接続され、そしてサブキャリア・マップに対する論理チャネルにしたがってＯＦＤＭシンボルのサブキャリアに該取り扱いセクタに対応する該論理制御チャネルと該非取り扱いセクタに対応する該論理制御チャネルのそれぞれをマッピングするために構成された制御チャネル・マッパ
をさらに具備する、請求項１４の装置。
【請求項２１】
該制御チャネル・マッパに接続され、そして周波数ホッピング・アルゴリズムにしたがってサブキャリア・マップに対する該論理制御チャネルを生成するために構成されたホップ割当てモジュールをさらに備える、請求項２０の装置。
【請求項２２】
複数の割り当てられた制御チャネルを介して通信するために構成された装置であって、  複数の制御チャネルに対応する制御チャネル割当ての数を決定するための手段；
制御チャネル・インターレース・タイミングを決定するための手段；及び
該制御チャネル・インターレース・タイミング及び該制御チャネル割当ての数に基づいて１又はそれより多くの該制御チャネル割当てに対応する少なくとも１つの制御チャネル・メッセージを構成するための手段
を具備する装置。
【請求項２３】
該制御チャネル割当ての数を決定するための該手段は、非取り扱いセクタ制御チャネルの数を決定するための手段を備える、請求項２２の装置。
【請求項２４】
少なくとも１つの制御チャネル・メッセージを構成するための該手段は、少なくとも１つの制御チャネル・インターレースを介して該複数の制御チャネルをインターレースするための手段を備える、請求項２２の装置。
【請求項２５】
下記のステップを実行するためのコンピュータ・プログラムでエンコードされたコンピュータ読み取り可能な媒体であって、該ステップは：
複数の制御チャネル・インターレースを決定すること；及び
該複数の制御チャネル・インターレースを介して該複数の制御チャネルのそれぞれの通信をインターレースすること
を具備することを特徴とする、コンピュータ読み取り可能な媒体。
【請求項２６】
下記のステップを実行するためのコンピュータ・プログラムでエンコードされたコンピュータ読み取り可能な媒体であって、該ステップは：
ハンドオフ状態を判断すること；
取り扱いセクタの制御チャネル割当てを決定すること；
非取り扱いセクタの少なくとも１つの制御チャネル割当てを決定すること；
制御チャネル・インターレースを決定すること；及び
該取り扱いセクタの該制御チャネル割当て又は該非取り扱いセクタの該少なくとも１つの制御チャネル割当てのうちの１つに対する制御メッセージを選択的に構成すること
を具備することを特徴とする、コンピュータ読み取り可能な媒体。
【発明の詳細な説明】
【関連文献】
【０００１】
［米国特許法３５§１１９による優先権の主張］
特許に関する本出願は、米国特許仮出願番号第６０／６９１，４３６号、２００５年６月１６日出願、名称“ハンドオフのためのＦＨ−ＯＦＤＭＡ逆方向リンク制御チャネル・インターレーシング（FH-OFDMA REVERSE-LINK CONTROL CHANNEL INTERLACING FOR HANDOFF）”、に優先権を主張し、本出願の譲受人に譲渡され、そして本明細書中に引用によってその全体が取り込まれている。
【背景技術】
【０００２】
無線通信システムは、複数の異なる通信タイプをサポートするように構成されることができる。例えば、無線通信システムは、１対複数、複数対１、及び１対１通信をサポートすることができる。それに加えて、通信は、一方向又は双方向であり得る。そのように、第１の方向に１対複数通信を有する双方向通信をサポートする無線通信システムは、反対の方向に複数対１通信をサポートすることができる。
【０００３】
双方向通信システムにおいて、通信リンクは、割り振られることができる又はランダムに割り当てられることができる。ランダム割り当てりのケースでは、通信システムは、要請している通信リンクのためにそして割り当てられたリンクに関連するオーバーヘッド情報を報告するために１又はそれより多くのランダム・アクセス・チャネルを割り当てることができる。
【０００４】
無線通信システム、例えば、直交周波数分割多元接続（ＯＦＤＭＡ：Orthogonal Frequency Division Multiple Access）通信システムは、時間と周波数の両方においてチャネルを割り当てることができる。ＯＦＤＭシステム中の送信機は、特定の出力に又は出力範囲に制限されることがある。そのように、データ・チャネルに加えてオーバーヘッド・チャネルの使用は、あるデータ・チャネルをサポートするために利用可能なエネルギーの量に逆方向に影響を及ぼすことがある。しかしながら、そのようなオーバーヘッド・チャネルの使用は、システムの動作に対して重要であることがある。特に、移動デバイスは、複数の取り扱い局の間のハンドオフを取り決めるために複数のチャネルを介して通信する必要がある。複数のランダム・アクセス・チャネルに対して複数の通信リンクをサポートする効果を最小にすることは、望ましい。
【発明の概要】
【０００５】
直交周波数分割多元接続（ＯＦＤＭＡ：Orthogonal Frequency Division Multiple Access）無線通信システムのランダム・アクセス制御チャネルにおいて通信をインターレースするための装置及び方法が記載される。複数の取り扱いセクタに個々のＯＦＤＭＡ制御チャネルを介して通信する無線通信デバイスは、リンク制限された状態の下で動作することがある。無線通信デバイスは、複数の取り扱いセクタ間の通信をインターレースすることができる。無線通信デバイスは、１又はそれより多くのアクセス可能なリソースを使用して制御チャネル通信をインターレースすることができる。例えば、無線通信デバイスは、時間、周波数、又はそれらのある組み合わせを介して複数の制御チャネル通信をインターレースすることができる。無線通信デバイスは、インターレースが相対的に互いに直交するように制御チャネル通信を構成することができる。例えば、無線通信デバイスは、相対的に直交する時間、周波数、コード、若しくは直交リソースのある組み合わせ又は非直交リソースと１又はそれより多くの直交リソースとの組み合わせを介して複数の制御チャネル通信をインターレースすることができる。
【０００６】
無線通信デバイスは、通信がそれを介してスケジュールされる個別の制御チャネルの数に等しい数のインターレースに制御チャネル通信をインターレースすることができる。別の１つの実施形態では、無線通信デバイスは、複数のスケジュールされた制御チャネル通信を２又はそれより多くの集合へと分割することができ、そしてその集合をインターレースすることができる。別の１つの実施形態では、無線通信デバイスは、取り扱いセクタとの制御チャネル通信のために第１のインターレースを確保することができ、そして１又はそれより多くの別のインターレース上に残りの制御チャネル通信を時間多重化することができる。
【０００７】
本明細書の１態様は、無線デバイスに割り当てられた複数の制御チャネルを介して通信を構成する方法を含み、それは複数の制御チャネル・インターレースを決定すること、及び該複数の制御チャネル・インターレースを介して該複数の制御チャネルのそれぞれへの通信をインターレースすることを含む。
【０００８】
本明細書の１態様は、無線デバイスに割り当てられた複数の制御チャネルを介して通信を構成する方法を含み、それは第１のセクタに対応する第１の制御チャネル割当てを受信すること、第２のセクタに対応する第２の制御チャネル割当てを受信すること、及び該第１の制御チャネルと該第２の制御チャネルを介して制御メッセージをインターレースすることを含む。
【０００９】
本明細書の１態様は、無線デバイスに割り当てられた複数の制御チャネルを介して通信を構成する方法を含み、それはハンドオフ状態を判断すること、取り扱いセクタの制御チャネル割当てを決定すること、非取り扱いセクタの少なくとも１つの制御チャネル割当てを決定すること、制御チャネル・インターレースを決定すること、該取り扱いセクタの該制御チャネル割当て又は該非取り扱いセクタの該少なくとも１つの制御チャネル割当てのうちの１つに対する制御メッセージを選択的に構成すること、及び該制御メッセージを送信することを含む。
【００１０】
本明細書の１態様は、複数の割り当てられた制御チャネルを介して通信を構成する装置を含む。本装置は、取り扱いセクタに対応する論理制御チャネルに対する第１の制御メッセージを選択的に構成するために構成された取り扱いセクタ制御モジュール、非取り扱いセクタに対応する論理制御チャネルに対する第２の制御メッセージを選択的に構成するために構成された非取り扱いセクタ制御モジュール、制御チャネル・インターレースを決定するため、そして該制御チャネル・インターレースに基づいて該取り扱いセクタ制御モジュール又は非取り扱いセクタ制御モジュールのうちの１つを制御するために構成されたインターレース・コントローラを含む。
【００１１】
本明細書の１態様は、複数の割り当てられた制御チャネルを介して通信するために構成された装置を含む。本装置は、複数の制御チャネルに対応する制御チャネル割当ての数を決定するための手段、制御チャネル・インターレース・タイミングを決定するための手段、及び該制御チャネル・インターレース・タイミング及び該制御チャネル割当ての数に基づいて１又はそれより多くの該制御チャネル割当てに対応する少なくとも１つの制御チャネル・メッセージを構成するための手段を含む。
【００１２】
本明細書の１態様は、複数の制御チャネル・インターレースを決定すること、及び該複数の制御チャネル・インターレースを介して該複数の制御チャネルのそれぞれの通信をインターレースすることのステップを実行するためのコンピュータ・プログラムでエンコードされたコンピュータ読み取り可能な媒体を含む。
【００１３】
本明細書の１態様は、ハンドオフ状態を判断すること、取り扱いセクタの制御チャネル割当てを決定すること、非取り扱いセクタの少なくとも１つの制御チャネル割当てを決定すること、制御チャネル・インターレースを決定すること、及び該取り扱いセクタの該制御チャネル割当て又は該非取り扱いセクタの該少なくとも１つの制御チャネル割当てのうちの１つに対する制御メッセージを選択的に構成すること、のステップを実行するためのコンピュータ・プログラムでエンコードされたコンピュータ読み取り可能な媒体を含む。
【００１４】
本明細書の実施形態の特徴、目的、及び利点は、図面を使用して以下に述べる詳細な説明から、さらに明確になるであろう。図面では、同じ要素は、同じ参照符号を持つ。
【図面の簡単な説明】
【００１５】
【図１】図１は、１つの実施形態にしたがった多元接続無線通信システムのある実施形態の単純化した機能的ブロック図である。
【図２】図２は、多元接続無線通信システムにおける送信機及び受信機の１つの実施形態の単純化した機能的ブロック図である。
【図３】図３は、制御チャネル・インターレーシングを実行する送信機の実施形態の単純化した機能的ブロック図である。
【図４Ａ】図４Ａは、制御チャネル・インターレーシングの実施形態の単純化した時間−論理チャネル図である。
【図４Ｂ】図４Ｂは、制御チャネル・インターレーシングの実施形態の単純化した時間−論理チャネル図である。
【図４Ｃ】図４Ｃは、制御チャネル・インターレーシングの実施形態の単純化した時間−論理チャネル図である。
【図４Ｄ】図４Ｄは、制御チャネル・インターレーシングの実施形態の単純化した時間−論理チャネル図である。
【図４Ｅ】図４Ｅは、制御チャネル・インターレーシングの実施形態の単純化した時間−論理チャネル図である。
【図５】図５は、制御チャネル・インターレーシングの方法の１実施形態の単純化したフローチャートである。
【図６】図６は、制御チャネル・インターレーシングの方法の１実施形態の単純化したフローチャートである。
【図７】図７は、制御チャネル・インターレーシングを実行する送信機の実施形態の単純化した機能的ブロック図である。
【発明を実施するための形態】
【００１６】
図１は、多元接続無線通信システム１００の１つの実施形態の単純化した機能的ブロック図である。多元接続無線通信システム１００は、複数のセル、例えば、セル１０２，１０４及び１０６を含む。図１の実施形態では、各セル１０２，１０４及び１０６は、複数のセクタを含むアクセス・ポイント１５０を含むことができる。
【００１７】
複数のセクタは、複数のアンテナのグループによって形成され、各アンテナはセルの一部にあるアクセス端末と通信する責任能力がある。セル１０２において、アンテナ・グループ１１２，１１４と１１６は、それぞれ異なるセクタに対応する。例えば、セル１０２は、３つのセクタ、１２０ａ−１０２ｃ、へと分割される。第１のアンテナ１１２は、第１のセクタ１０２ａを取り扱い、第２のアンテナ１１４は、第２のセクタ１０２ｂを取り扱い、そして第３のアンテナ１１６は、第３のセクタ１０２ｃを取り扱う。セル１０４にでは、アンテナ・グループ１１８，１２０と１２２は、それぞれ異なるセクタに対応する。セル１０６では、アンテナ・グループ１２４，１２６と１２８は、それぞれ異なるセクタに対応する。
【００１８】
各セルは、複数のアクセス端末をサポートする又はそうでなければ取り扱うために構成され、アクセス端末は対応するアクセス・ポイントの１又はそれより多くのセクタと通信する。例えば、アクセス端末１３０と１３２は、アクセス・ポイント１４２と通信しており、アクセス端末１３４と１３６は、アクセス・ポイント１４４と通信しており、アクセス端末１３８と１４０は、アクセス・ポイント１４６と通信している。それぞれのアクセス・ポイント１４２，１４４と１４６が２つのアクセス端末と通信しているように示されているとはいえ、各アクセス・ポイント１４２，１４４と１４６は、２つのアクセス端末と通信するように限定されない、そしてある限界までの任意の数のアクセス端末をサポートすることができ、その限界は、物理的な限界、又は通信規格により課せられる限界であり得る。
【００１９】
本明細書中で使用されるように、アクセス・ポイントは、端末と通信するために使用する固定局であることができ、そしてしかも、基地局、ノードＢ、又はある別の用語で呼ばれることができ、そしてその機能のあるもの又は全てを含むことができる。アクセス端末（ＡＴ：access terminal）は、同様に、ユーザ装置（ＵＥ：user equipment）、ユーザ端末、無線通信デバイス、端末、移動局、又はある別の用語で呼ばれることができ、そしてその機能のあるもの又は全てを含むことができる。
【００２０】
図１から、各アクセス端末１３０，１３２，１３４，１３６，１３８と１４０が同じセル内の別の各端末とはそれぞれのセルの異なる場所に位置することが、理解される。さらに、各アクセス端末は、それが通信している対応するアンテナ・グループから異なる距離であり得る。これらの両方の要因は、セル内の環境及び他の状態に加えて、各アクセス端末とそれが通信しているその対応するアンテナ・グループとの間に存在する異なるチャネル状態を生じさせる状況を与える。
【００２１】
各アクセス端末、例えば、１３０は、変化するチャネル状態のために、いずれの他のアクセス端末によっても経験されない固有のチャネル特性を一般的に経験する。その上、チャネル特性は、時間とともに変わり、そして場所が変わることにより変化する。
【００２２】
アクセス端末、例えば、１３０、は、取り扱いセクタに対応するアクセス・ポイント１４２のアンテナ１１６を用いて通信することができ、異なるチャネル状態を補償することができる。その取り扱いセクタに対応するアクセス・ポイント１４２は、アクセス端末１３０によって経験されたチャネル特性に一部は基づいて可変データ・レートを割り当てる。取り扱いセクタのアクセス・ポイント１４２は、アクセス端末１３０によって経験されるチャネル特性が好ましい時には、名目上のデータ・レートよりも高いデータ・レートで情報を送信することができ、そしてアクセス端末１３０によって経験されるチャネル特性が低下している時には、名目上のデータ・レートよりも低いデータ・レートで情報を送信することができる。
【００２３】
アクセス端末１３０は、アクセス・ポイント１４２を支援するために、取り扱いセクタのアクセス・ポイント１４２にフィードバック情報を通信することができる。例えば、アクセス端末１３０は、チャネル品質の指標を与えるために取り扱いセクタのアクセス・ポイント１４２にチャネル測定基準、例えば、チャネル品質指標（ＣＱＩ：Channel Quality Index）、を通信することができる。アクセス・ポイント１４２は、ＣＱＩ値に一部は基づいてアクセス端末１３０に送信される引き続く情報に対するデータ・レートを決定することができる。
【００２４】
アクセス端末１３０は、制御チャネルを介して取り扱いセクタのアクセス・ポイント１４２にＣＱＩ情報を送信する。アクセス端末１３０は、同様に、その取り扱いセクタのアクセス・ポイント１４２に別の制御情報を送ることもできる。制御メッセージに含まれることが可能な他の制御情報は、データ・チャネル割当ての要請（ＲＥＱ）、アクセス・ポイント１４２によって送信された情報の良好な受信への応答で受領通知（ＡＣＫ）、及びその他の制御情報、を含むことができるが、これらに限定されない。
【００２５】
制御チャネルは、制御情報のための専用の予め決められた逆方向リンク・チャネルであり得る。あるいは、制御チャネルは、別のチャネルとリソースを共有することができる。共有されるリソースは、例えば、時間、周波数、コード、及びその他、又はある別のリソース、若しくは複数のリソースの組み合わせ、を含むことができる。本明細書中で使用されるように、用語“逆方向リンク”は、アクセス端末からアクセス・ポイントへの通信リンクを呼ぶ。
【００２６】
多元接続無線通信システム１００が直交周波数分割多元接続（ＯＦＤＭＡ）システムである１つの実施形態では、制御チャネルは、逆方向リンクにおけるサブキャリアの予め決められた構成であり得る。制御チャネルは、しかも、時間基準に対して相対的に予め決められたタイミングを有することができる。例えば、逆方向リンク・データ・チャネルは、ＯＦＤＭシンボルのブロックに配列されることができ、そこでは、隣接するシンボルの予め決められた１つの数が１つのスロットとして規定されることができる。例えば、１スロットは、１６ＯＦＤＭシンボルを有することができる。制御チャネルは、スロット内の予め決められた時間の間に、例えば、そのスロットの前半の間に、生じるように規定されることができる。
【００２７】
多元接続無線通信システム１００が周波数ホッピング（ＦＨ：frequency hopping）を使用する場合、データ・チャネル及び制御チャネルは、論理チャネルとして割り当てられることができ、時にはホップ・ポートとして呼ばれ、そしてその論理チャネルは、予め決められた周波数ホッピング・アルゴリズムにしたがって物理チャネルにマッピングされることができる。そのように、周波数ホッピングＯＦＤＭＡシステムでは、論理チャネルに割り当てられる物理サブキャリア周波数は、時間とともに変化する。例えば、周波数ホッピング・アルゴリズムは、定期的に、例えば、ＯＦＤＭシンボル毎に、スロット毎に、又はある別の予め決められた数のＯＦＤＭシンボルに続いて、論理チャネルを物理サブキャリアにマッピングすることを更新することができる。
【００２８】
ある種の条件下で、アクセス端末は、１より多くのセクタへ制御チャネル・メッセージを送信することを必要とする又は望むことがあり、そしておそらく１より多くのアクセス・ポイントに対応することがあり得る。アクセス端末は、各セクタに対して別個の制御チャネルを割り当てられる。例えば、２つの別個のセクタに制御メッセージを通信するアクセス端末は、２つの別個の制御チャネルを割り当てられる。
【００２９】
１つのアクセス端末が複数の受信機に制御チャネル・メッセージを送信する典型的な状況が、ハンドオフ状態である。ハンドオフのあいだ、アクセス端末は、取り扱いセクタのアクセス・ポイントと、そして複数の候補セクタのそれぞれに対応する１又はそれより多くのアクセス・ポイントと制御チャネルを介して通信する。ある複数の状況では、取り扱いセクタに対応するアクセス・ポイントは、候補セクタに対応する同じアクセス・ポイントである。別の状況では、アクセス端末は、複数の別個のアクセス・ポイントと通信することができ、そこでは、同じアクセス・ポイントに対して２つのセクタは対応しない。さらに別の状況では、アクセス端末は、複数のセクタに対応する複数のアクセス・ポイントと通信することができ、そこでは、少なくとも２つのセクタが同じアクセス・ポイントに対応する。それぞれの状況において、アクセス・ポイントは、取り扱いセクタに対してそして各候補セクタに対して別個の制御チャネルを割り当てられ、そしてそのアクセス・ポイントは、割り当てられた通信チャネルのそれぞれを使用して制御チャネル・メッセージを送信する。
【００３０】
前に論じたように、複数のセクタ間でのハンドオフの状況において、アクセス・ポイントは、複数のセクタを取り扱っている１又はそれより多くのアクセス・ポイントに制御チャネル・メッセージを送信する。追加の制御メッセージを送信する必要性は、データ送信のためにアクセス端末に利用可能である送信出力を低減する。複数のセクタに対応するアクセス・ポイントに制御メッセージを送信しているアクセス端末に対して要求される送信出力を削減するための１つの方法は、通信チャネル割当てを介してメッセージ送信をインターレースすることである。アクセス端末は、予め決められた制御チャネル・インターレーシング・プロセスにしたがって制御チャネル・メッセージをインターレースすることができる。アクセス端末は、制御メッセージ送信を時間で、周波数で、又はそれらの組み合わせでインターレースすることができ、そこでは、そのインターレースは、一定の又は絶えず変化する論理リソース又は物理リソースであり得て、それは一緒にグループ分けされる。
【００３１】
アクセス端末が、例えば、取り扱いセクタと候補セクタに対応する、２つの通信チャネルを割り当てられている状況では、アクセス端末は、２つのインターレースを使用して制御チャネル・メッセージを送信することができる。２つの制御チャネル・インターレースを用いる第１の実施形態では、アクセス端末が制御チャネルを送信するために第２のセクタを割り当てられるとき、割り当てられた制御チャネル・インターレースは、取り扱いセクタとは反対にインターレースにされる。例えば、アクセス端末は、制御インターレース１において自身の取り扱いセクタに、そして制御インターレース２において非取り扱いセクタに制御情報を送信する。この実施形態では、時間の任意の時点おいて、アクセス端末は、１つのセクタに制御情報を送るだけであり、必要とされる送信出力を削減する。
【００３２】
アクセス端末が、取り扱いセクタと２つの別のセクタに制御情報を送る必要がある場合、上記の実施形態への複数の可能な拡張がある。第１の実施形態は、追加インターレースを加えることを含む。３つのセクタに対して、３つの制御チャネル・インターレースがあるはずである。
【００３３】
第２の実施形態は、制御メッセージを束ねることを含む。３つのセクタに関して、２つのセクタに対する制御メッセージは、インターレース１において送られるはずであり、一方で、第３のセクタに対する制御は、インターレース２において送られるはずである。この実施形態は、制御信号を受信する際の遅延を増加させることに対して釣り合うある程度の送信出力の減少を提供する。
【００３４】
第３の実施形態は、非取り扱いセクタに送られる制御チャネル・メッセージに対してサブ−インターレースを作ることを含む。このケースでは、取り扱いセクタへの制御チャネルは、インターレース１に置かれ、そして非取り扱いセクタへの制御チャネルは、インターレース２に置かれる。しかしながら、アクセス端末は、非取り扱いセクタに１回に１つずつインターレース２において制御情報を送るだけである。
【００３５】
ハンドオフが完了すると、１つのインターレースでの新たな取り扱いセクタ制御チャネルと別の１つのインターレースでの非取り扱いセクタ制御チャネルとによるこの非対称性を維持するために、制御チャネルは、再割り当てされる。これは、その取り扱いセクタに低遅延制御チャネルを作り出し、逆方向リンク・チャネル品質とハンドオフ要請のために非取り扱いセクタに高遅延制御チャネルを用いて、複数のユーザ・ダイバーシティ利得を維持する。取り扱いセクタとは反対のインターレース上で１回に１つずつ送信される非取り扱いセクタ制御チャネルは、周期的な順番で全体を循環させることができる、又はアクセス端末は、利用可能な情報、例えば、所望のハンドオフ要請、に基づいて順番から外れて制御をどちらのセクタに送信するかを決定することができる。
【００３６】
上記の実施形態は、図２に示されるように、送信（ＴＸ）プロセッサ４２０又は４６０、プロセッサ４３０又は４７０、及びメモリ４３２又は４７２を利用して与えられることができる。プロセスは、任意のプロセッサ、コントローラ、又は他の処理デバイス上で実行されることができ、そしてソース・コード、オブジェクト・コード、又はその他としてコンピュータ読み取り可能な媒体中にコンピュータ読み取り可能な命令として記憶されることができる。
【００３７】
図２は、多元接続無線通信システムにおける送信機及び受信機の１つの実施形態の単純化した機能的ブロック図である。送信機システム４１０において、複数のデータ・ストリームに対するトラフィック・データは、データ・ソース４１２から送信（ＴＸ）データ・プロセッサ４１４に与えられる。１つの実施形態では、各データ・ストリームは、それぞれの送信アンテナを経由して送信される。ＴＸデータ・プロセッサ４１４は、コード化されたデータを与えるためにそのデータ・ストリームに対して選択された特定のコーディング方式に基づいて各データ・ストリームに対するトラフィック・データをフォーマット化し、コード化し、そしてインターリーブする。ある複数の実施形態では、ＴＸデータ・プロセッサ４１４は、そのシンボルがそこに送信されようとしているユーザ、及びそのシンボルがそこから送信されようとしているアンテナに基づいてデータ・ストリームのそのシンボルにビームフォーミング加重を適用する。ある複数の実施形態では、ビームフォーミング加重は、チャネル応答情報に基づいて生成されることができ、そのチャネル応答情報はアクセス・ポイントとアクセス端末との間の伝送パスの状態を示している。チャネル応答情報は、ユーザにより提供されるＣＱＩ情報またはチャネル推定値を利用して生成されることができる。さらに、スケジュールされた送信のそれらのケースでは、ＴＸデータ・プロセッサ４１４は、ユーザから送信されるランク情報に基づいてパケット・フォーマットを選択することができる。
【００３８】
各データ・ストリームに対するコード化されたデータは、ＯＦＤＭ技術を使用してパイロット・データと多重化されることができる。パイロット・データは、一般的に公知のデータ・パターンであり、そのパターンは公知の方法で処理され、そしてチャネル応答を推定するために受信機システムにおいて使用されることができる。各データ・ストリームに対する多重化されたパイロット・データ及びコード化されたデータは、次に、そのデータ・ストリームに対して選択された特定の変調方式（例えば、ＢＰＳＫ，ＱＰＳＫ，Ｍ−ＰＳＫ，又はＭ−ＱＡＭ）に基づいて変調されて（すなわち、シンボル・マッピングされて）、変調シンボルを与える。各データ・ストリームに対するデータ・レート、コーディング、及び変調は、プロセッサ４３０によって与えられる命令によって決定されることができる。ある複数の実施形態では、並列空間ストリームの数は、ユーザから送信されるランク情報にしたがって変化させることができる。
【００３９】
全てのデータ・ストリームに対する変調シンボルは、次に、ＴＸ  ＭＩＭＯプロセッサ４２０に与えられ、それは（例えば、ＯＦＤＭに対する）変調シンボルをさらに処理することができる。ＴＸ  ＭＩＭＯプロセッサ４２０は、次に、ＮＴ個の送信機（ＴＭＴＲ）４２２ａから４２２ｔにＮＴ個のシンボル・ストリームを与える。ある種の実施形態では、ＴＸ  ＭＩＭＯプロセッサ４２０は、シンボルがそれに送信されようとしているユーザ及びシンボルがそのユーザのチャネル応答情報をそこから送信しようとしているアンテナに基づいて、データ・ストリームのシンボルにビームフォーミング加重を適用する。
【００４０】
各送信機４２２ａから４２２ｔは、それぞれのシンボル・ストリームを受け取りそして処理して、１又はそれより多くのアナログ信号を与え、そしてそのアナログ信号をさらに調整して（例えば、増幅し、フィルタし、そしてアップコンバートして）ＭＩＭＯチャネルを経由した送信のために適した変調された信号を与える。送信機４２２ａから４２２ｔからのＮＴ個の変調された信号は、次に、それぞれＮＴ個のアンテナ４２４ａから４２４ｔから送信される。
【００４１】
受信機システム４５０において、伝送された変調シンボルは、ＮＲ個のアンテナ４５２ａから４５２ｒによって受信され、そして各アンテナ４５２からの受信信号は、それぞれの受信機（ＲＣＶＲ）４５４に与えられる。各受信機４５４は、それぞれの受信信号を調整し（例えば、フィルタし、増幅し、そしてダウンコンバートし）、その調整された信号をディジタル化してサンプルを与え、そしてそのサンプルをさらに処理して対応する“受信した”シンボル・ストリームを与える。
【００４２】
ＲＸデータ・プロセッサ４６０は、次に、ＮＲ個の受信機４５４からＮＲ個の受信したシンボル・ストリームを受け取り、特定の受信機処理技術に基づいて処理して“検出した”シンボル・ストリームのランク数を与える。ＲＸデータ・プロセッサ４６０による処理は、下記にさらに詳細に説明される。各検出されたシンボル・ストリームは、対応するデータ・ストリームに対して伝送された変調シンボルの推定値であるシンボルを含む。ＲＸデータ・プロセッサ４６０は、次に、各検出されたシンボル・ストリームを復調し、デインターリーブし、そしてデコードして、そのデータ・ストリームに対するトラフィック・データを再生する。ＲＸデータ・プロセッサ４６０による処理は、送信機システム４１０においてＴＸ  ＭＩＭＯプロセッサ４２０及びＴＸデータ・プロセッサ４１４により実行されるものに相補的である。
【００４３】
ＲＸプロセッサ４６０によって生成されるチャネル応答推定値は、受信機において空間処理、空間／時間処理を実行するために、出力レベルを調節するために、変調レート又は変調方式を変更するために、又は他の動作のために使用されることができる。ＲＸプロセッサ４６０は、検出されたシンボル・ストリームの信号対ノイズ及び干渉比（ＳＮＲ：signal-to-noise-sand-interference ratio）を、そしておそらく他のチャネル特性をさらに推定することができ、そしてこれらの量をプロセッサ４７０に与える。ＲＸデータ・プロセッサ４６０又はプロセッサ４７０は、そのシステムに対する“実効”ＳＮＲの推定値をさらに導出することができる。プロセッサ４７０は、次に、推定されたチャネル情報、例えば、チャネル品質インデックス（ＣＱＩ：Channel Quality Index）、を与え、それは通信リンク及び／又は受信データ・ストリームに関する様々なタイプの情報を含むことができる。例えば、ＣＱＩは、動作上のＳＮＲだけを備えることができる。ＣＱＩは、次にＴＸデータ・プロセッサ４７８によって処理され、変調器４８０によって変調され、受信機４５４ａから４５４ｒによって調整され、そして送信機システム４１０に送信して戻される。ＴＸデータ・プロセッサ４７８は、しかもデータ・ソース４７６からの複数のデータ・ストリームに対するトラフィック・データも受け取る。
【００４４】
送信機システム４１０において、受信機システム４５０からの変調された信号は、アンテナ４２４によって受信され、送信機４２２によって調整され、復調器４４０によって復調され、そしてＲＸデータ・プロセッサ４４２によって処理されて、受信機システムにより伝達されるＣＱＩを再生する。伝達されたＣＱＩは、次にプロセッサ４３０に与えられ、そして（１）データ・ストリームに対して使用されるべきデータ・レート及びコーディング方式と変調方式を決定するために、そして（２）ＴＸデータ・プロセッサ４１４及びＴＸ  ＭＩＭＯプロセッサ４２０についての様々な制御を生成するために、使用される。
【００４５】
受信機において、様々な処理技術がＮＲ個の受信した信号を処理するために使用されることができて、ＮＴ個の伝送されたシンボル・ストリームを検出することができる。これらの受信機処理技術は、２つの基本的なカテゴリーへと分類されることができ、それは（ｉ）空間及び空間−時間受信機処理技術（それは同様に量子化技術とも呼ばれる）；及び（ｉｉ）“逐次ヌリング／量子化及び干渉除去”受信機処理技術（それは同様に“逐次干渉除去”又は“逐次除去”受信機処理技術とも呼ばれる）である。
【００４６】
ＮＴ個の送信アンテナとＮＲ個の受信アンテナによって形成されるＭＩＭＯチャネルは、ＮＳ個の独立したチャネル、ＮＳ≦ｍｉｎ｛ＮＴ，ＮＳ｝、へと分解されることができる。ＮＳ個の独立したチャネルの各々は、しかもＭＩＭＯチャネルの空間サブチャネル（すなわち、伝送チャネル）とも呼ばれることができ、そして大きさ（dimension）に対応する。
【００４７】
図３は、受信機システム、例えば、図２の受信機システム４５０、の送信処理サブシステム３００の１実施形態の単純化した機能的ブロック図である。送信処理サブシステム３００は、制御チャネル・インターレーシングを実行するために構成される。
【００４８】
送信処理サブシステム３００は、１又はそれより多くのデータ・ソース（図示されず）から１又はそれより多くのデータ・ストリーム又は情報ストリームを受信するために構成されたベースバンド・プロセッサ３１０を含む。ベースバンド・プロセッサ３１０は、例えば、データ・ソースからのストリームを増幅することにより、フィルタすることにより、インターリーブすることにより、エンコードすることにより、データ・ストリーム又は情報ストリームのそれぞれを処理することができる。ベースバンド・プロセッサ３１０は、各データ・ストリームを独立に処理することができ、処理するために２又はそれより多くのデータ・ストリームを統合することができる、若しくは２又はそれより多くの別個のデータ・ストリームを統合しつつ、ある複数のデータ・ストリームを独立に処理することができる。
【００４９】
ベースバンド・プロセッサ３１０は、インターレース・コントローラ３３０からタイミング情報及びデータ・インターレース情報を受け取る。インターレース・コントローラ３３０は、データ・シンボル、スロット、及びフレーム・タイミングを、データ・インターレース・タイミングと同様に維持することができる。様々なデータ・ストリームは、複数のデータ・インターレースから特定のデータ・インターレースに割り当てられることができる。データ・インターレースは、特定の論理チャネルに対する時分割多重化タイミング割り当てとして見られることができる。すなわち、各論理データ・チャネルは、複数のデータ・インターレースを含むことができ、複数のデータ・ストリームのうちのいずれか１つが、それに割り当てられることができる。
【００５０】
データ・インターレースは、予め決められた期間に実質的に対応する期間を有することができ、それは、例えば、予め決められた数のシンボル、スロット、フレーム、又は他のタイミング増分であり得る。データ・インターレースの使用は、伝送したデータの良好な受信を示す受領通知（ＡＣＫ：acknowledgement）信号を与える通信システムにおいて有利であり得る。受信機は、受信信号を処理することができ、そして隣接する複数のデータ・インターレースの間の期間にＡＣＫを通信することができて、再送信時間を減少させる。１つの実施形態では、インターレース・コントローラ３３０は、６つのデータ・インターレースを追跡するように構成される。
【００５１】
ベースバンド・プロセッサ３１０は、処理したデータ・ストリームをデータ信号マッパ／変調器３４２につなげる。データ信号マッパ／変調器３４２は、１又はそれより多くの論理データ・チャネルをＯＦＤＭシンボルの対応する物理サブキャリアにマッピングするために構成される。１つの実施形態では、データ信号マッパ／変調器３４２は、ベースバンド・プロセッサ３１０から直列データ・ストリームを受け取り、そしてその直列データ・ストリームを並列データ・ストリームに変換するように動作することができ、その並列データ・ストリームは、サブキャリア割当ての数に等しい数の並列データ・ストリームを有する。データ信号マッパ／変調器３４２は、予め決められた変調タイプにしたがって対応するデータ・ストリームを用いて割り当てられた物理サブキャリアを変調する。前に説明したように、予め決められた変調タイプは、例えば、ＢＰＳＫ、ＱＰＳＫ、Ｍ−ＰＳＫ、又はＭ−ＱＡＭのうちの１つであり得る。
【００５２】
ホップ割当てモジュール３５０は、例えば、初期周波数割当て及び周波数ホッピング・アルゴリズム又はパターンに基づいて様々な論理チャネルに割り当てられるサブキャリアを決定する。ホップ割当てモジュール３５０は、論理データ・チャネルに対応する物理サブキャリア割当てを識別し、そしてデータ信号マッパ／変調器３４２にその情報を通信する。
【００５３】
ＯＦＤＭシンボルへと含まれようとしている制御チャネル情報は、データ処理に類似の方法で処理される。取り扱いセクタ制御モジュール３３２は、制御情報を受信するために構成され、その制御情報はその取り扱いセクタに対応するアクセス端末に割り当てられた制御チャネル上でその取り扱いセクタのアクセス・ポイントに通信されようとしている。例えば、取り扱いセクタ制御モジュール３３２は、データ・ソース（図示されず）からチャネル要請をそしてＲＸデータ・プロセッサ（図示されず）において処理される受信信号に対応するＣＱＩ情報を受信するために構成されることができる。
【００５４】
取り扱いセクタ制御モジュール３３２は、受信信号を処理するために構成され、そして制御メッセージをインターレースし、エンコードし、そしてそうでなければフォーマットすることができる。取り扱いセクタ制御モジュール３３２は、インターレース・コントローラ３３０からタイミング情報と制御チャネル・インターレース情報を受け取る。その情報は、インターレース割当て及び割り当てられた制御チャネル・インターレースに関連するタイミングを含むことができる。
【００５５】
通信リンクは、複数の制御チャネル・インターレースをサポートするために構成されることができ、それはデータ・インターレースと同じである又は異なることがある。１つの実施形態では、最小数の制御チャネル・インターレースがあり得て、そしてインターレース・コントローラ３３０は、その出現をそして取り扱いセクタに対する制御チャネルに割り当てられた制御チャネル・インターレースを追跡することができる。取り扱いセクタ制御モジュール３３２は、処理された取り扱いセクタ制御メッセージを制御チャネル・マッパ／変調器３４４につなげる。
【００５６】
同様に、非取り扱いセクタ制御モジュール３２４は、非取り扱いセクタに対する制御メッセージを受信するために構成される。非取り扱いセクタ制御チャネルがない場合があり、そしてアクセス端末が１又はそれより多くの非取り扱いセクタ制御チャネルを割り当てられる別の場合がある。
【００５７】
非取り扱いセクタ制御モジュール３２４は、取り扱いセクタに対する制御チャネルを除いて、割り当てられた制御チャネルのそれぞれに対応するそれぞれの制御メッセージを独立に処理する。取り扱いセクタ制御モジュール３２２が取り扱いセクタ制御チャネルに対するメッセージを処理するものと実質的に同じ方法で、非取り扱いセクタ制御モジュール３２４は、制御メッセージのそれぞれを処理することができる。非取り扱いセクタ制御モジュール３２４は、インターレース・コントローラ３３０からタイミング及び制御チャネル・インターレース情報を受け取る。その情報は、１又はそれより多くの割り当てられた制御チャネルに関連するタイミングとインターレース割当てを含むことができる。非取り扱いセクタ制御モジュール３２４は、インターレース・コントローラ３３０によって実行されるインターレース・プロセスに基づいて１又はそれより多くの非取り扱いセクタ制御チャネルの複数の制御チャネル・メッセージを結び付ける。下記にさらに詳細に論じられるように、インターレース・コントローラ３３０は、インターレース・プロセスを実行することができ、それは利用可能な制御チャネル・インターレースを介して制御チャネル・メッセージのインターレーシングとタイミングとを制御する。
【００５８】
制御チャネル・マッパ／変調器３４４は、制御チャネル論理割当ての各々についての制御チャネル・メッセージのそれぞれを各ＯＦＤＭシンボルの対応する物理サブキャリアにマッピングするように動作する。各論理制御チャネル割当ては、ＯＦＤＭサブキャリアの対応する集合にマッピングされることができる。制御チャネル・マッパ／変調器３４４は、制御チャネル情報のそれぞれを対応するサブキャリア上へと変調するように動作する。
【００５９】
制御チャネル・インターレーシングのために、割り当てられた全ての制御チャネルが各制御チャネル・インターレースの制御チャネル情報を生成するとは限らない。ホップ割当てモジュール３５０は、物理サブキャリア・ホップ割当てを決定し、そして各論理制御チャネルに対して独立にサブキャリア割当てを決定することができる。
【００６０】
データ信号マッパ／変調器３４２及び制御チャネル・マッパ／変調器３４４は、変調されたサブキャリアをＯＦＤＭ信号生成器につなげ、それは変調されたサブキャリアを時間ドメインＯＦＤＭシンボル・サンプルに変換するために構成される逆高速フーリエ変換（ＩＦＦＴ：inverse fast Fourier transform）モジュール３６０を含むことができる。
【００６１】
ＩＦＦＴモジュール３７０の出力は、並列から直列変換器３７０につなげられ、それは並列ＩＦＦＴの出力をＯＦＤＭシンボルの直列信号ストリームに変換する。並列から直列変換器３７０は、ＯＦＤＭシンボル・サンプルを送信機３８０につなげ、それは信号処理を実行して、ＯＦＤＭシンボル・サンプルを送信ＲＦ信号に周波数変換する。送信機３８０は、送信ＲＦ信号をアンテナ３８２につなげ、その信号を１又はそれより多くのアクセス・ポイントにつなげる。
【００６２】
上記に論じたように、インターレース・コントローラ３３０は、制御チャネル・インターレース・プロセスを実行して、複数の割り当てられた制御チャネルに対応する制御チャネル・メッセージのタイミングを決定する、そのうちの１つは取り扱いセクタに対応する。インターレース・コントローラ３３０は、様々なインターレース・プロセスのうちのいずれかを実行することができ、そして本明細書において論じられる処理は、インターレース・プロセスの複数の処理の例示である。インターレース・コントローラ３３０は、割り当てられた制御チャネル・インターレースを決定することができ、そしてある複数の実施形態では、制御チャネル情報をいつパンクチャ（puncture）するかを決定することができる。
【００６３】
受信機システムは、取り扱いセクタの制御チャネルに対応する第１の制御チャネル割当てを受けることができ、そして１又はそれより多くの非取り扱いセクタに対応する１又はそれより多くの追加の制御チャネル割当てを受けることができる。インターレース・コントローラ３３０は、割り当てられた制御チャネルの数の記録を維持することができ、そして割り当てられた制御チャネルの数とインターレース・プロセスに基づいてインターレースを決定することができる。
【００６４】
制御チャネル・インターレーシングは、通信がリンク制限されている状態におけるＯＦＤＭ通信システムにおいては有利であり得る。リンク制限の状況は、アクセス端末からアクセス・ポイントへのパス損失がサービス可能な範囲の上限にあるときに生じることがある。高いパス損失の状況は、障害物及び物理的な地形に起因して、又は近さに起因して生じることがある。交信可能区域の端の近くのアクセス端末は、一般的にリンク制限された環境で動作する。
【００６５】
アクセス・ポイント及びアクセス端末は、伝送データ・レート又は情報レートを低下させることによってリンク制限の状態を一部は補償することができる。しかしながら、ある点では、最低のデータ・レート伝送でさえもリンク制限の状態を経験することがある。
【００６６】
アクセス端末は、それがハンドオフに近いときにリンク制限の通信を経験することがある。アクセス端末は、それがリンク制限の状態を経験するときにハンドオフを上手く処理するために隣接するアクセス・ポイントと通信することができる。アクセス端末は、取り扱いセクタの制御チャネル上で通信し続けることができ、そして１又はそれより多くの候補セクタに制御チャネルを要請することができそしてそれを割り当てられることができる。前に記したように、候補セクタは、その取り扱いセクタをサポートしているアクセス・ポイントと共通の又はそれとは異なる１又はそれより多くのアクセス・ポイントによって取り扱われることができる。
【００６７】
ＯＦＤＭシステムにおいてアクセス端末からアクセス・ポイントへのリンク制限の通信は、制御チャネル・インターレーシングが実行されない場合に、追加の制御チャネルを取り込むことによってさらに低下することがある。追加の制御チャネルは、データ・チャネルをサポートするために利用可能な電力をさらに制限するように動作することがある。そのように、リンク制限の状態においてハンドオフをサポートするために使用する追加の制御チャネルを取り込むことは、リンク制限の通信リンクをさらに劣化させるように動作することがある。制御チャネル・インターレーシングは、リンク制限のデータ・チャネル上での追加の制御チャネルの効果を最小にするように動作する。
【００６８】
図４Ａ−図４Ｅは、インターレース・コントローラにおいて実行されることができる制御チャネル・インターレーシング・プロセスの複数の例を説明する。一般的に、インターレース・コントローラは、１つの特有のインターレース・プロセスを実行する。しかしながら、ある複数の実施形態では、インターレース・コントローラは、複数のインターレース・プロセスのうちのどれを実行するかを判断することができ、そして複数のインターレース・プロセスのうちのどれがアクティブであるかを変えることができる。
【００６９】
図４Ａは、制御チャネル・インターレーシングの実施形態の単純化した時間−論理チャネル図２００である。図４Ａに図示された実施形態では、送信機は、２つの制御チャネル、制御チャネル１（ＣＣ１）２０２と制御チャネル２（ＣＣ２）２０４、を割り当てられる。それに加えて、システムは、２つの制御チャネル・インターレースを用いて構成されることができる。
【００７０】
送信機は、２つの制御チャネルをインターレースするように動作する。それゆえ、送信機は、インターレース・コントローラを介して、ＣＣ１  ２０２を第１の制御チャネル・インターレースに割り当て、そしてＣＣ２  ２０４を第２の制御チャネル・インターレースに割り当てる。対応するインターレースの間に、論理制御チャネルは、例えば、周波数ホッピング・プロセスに基づいて、ＯＦＤＭシンボルの物理サブキャリアにマッピングされる。そのように、あるデータ・チャネルは、１より多くの制御チャネルとともに決して同時に動作しない。
【００７１】
図４Ｂは、非取り扱いセクタに対応する２より多くの制御チャネルを用いた動作のために、図４Ａに図示されたプロセスの拡張を説明する。図４Ｂは、制御チャネル・インターレーシングの実施形態の単純化した時間−論理チャネル図２１０である。図４Ｂの実施形態では、送信機は、３つの制御チャネルを割り当てられる。第１の制御チャネル（ＣＣ１）２１２は、取り扱いセクタに対応し、一方で、第２と第３の制御チャネル、ＣＣ２  ２１４とＣＣ３  ２１４は、非取り扱いセクタに対応する。
【００７２】
通信システムは、図４Ａに図示されたように、２つの制御チャネル・インターレース含む。送信機内部のインターレース・コントローラは、取り扱いセクタに対応する制御チャネル、ＣＣ１  ２１２、を第１の制御チャネル・インターレースに割り当てることにより、そして他の全ての制御チャネル、ＣＣ２  ２１４とＣＣ３  ２１６、を第２の制御チャネル・インターレースに割り当てることによって、様々な制御チャネル介して制御チャネル・メッセージをインターレースするように動作する。インターレース・コントローラは、制御チャネルＣＣ１  ２１２を非取り扱い制御チャネルＣＣ２  ２１４とＣＣ３  ２１６に対して、効果的に優先させる。しかしながら、データ伝送は、非取り扱い制御チャネルの数に応じて第２のインターレースの間に劣化することがある。インターレース・コントローラが全ての非取り扱いセクタ制御チャネルを第２のインターレースに割り当てる場合に、１より多くの非取り扱いセクタ制御チャネルがあり、追加の制御チャネルは、既にリンク制限であるデータ・リンクを劣化させることがある。
【００７３】
図４Ｃは、制御チャネル・インターレーシングの１実施形態の単純化した時間−論理チャネル図２２０である。図４Ｃの実施形態では、インターレース・コントローラは、各制御チャネル・インターレースに対して１つだけの制御チャネルを割り当てるプロセスを使用して制御チャネルをインターレースする。図４Ｃの実施形態では、インターレース・コントローラは、各制御チャネルを別個の制御チャネル・インターレースに割り当てることができる。そのように、制御チャネル・インターレースの数は、絶えず変化することがあり、そしてアクセス端末に割り当てられた制御チャネルの全数に対応することがある。
【００７４】
インターレース・コントローラは、第１の制御チャネル・インターレースを取り扱いセクタ制御チャネル、ＣＣ１  ２２２に割り当てる。インターレース・コントローラは、第２の制御チャネル・インターレースを第１の非取り扱いセクタ制御チャネル、ＣＣ２  ２２４に、そして第３の制御チャネル・インターレースを第２の非取り扱いセクタ制御チャネル、ＣＣ３  ２２６、に割り当てる。インターレース・コントローラは、制御チャネル・インターレースの割当てを拡張することができて、いずれかの追加の制御チャネルをサポートする。
【００７５】
図４Ｃは、制御チャネル・インターレーシングの実施形態の単純化した時間−論理チャネル図２３０である。図４Ｄの実施形態では、インターレース・コントローラは、制御チャネルを２つの制御チャネル・インターレースのうちの１つに割り当てることができる。インターレース・コントローラは、取り扱いセクタの制御チャネル、ＣＣ１  ２３２、を第１の制御チャネル・インターレースに割り当てる。インターレース・コントローラは、制御チャネル、ＣＣ１  ２３４とＣＣ３  ２３６、をラウンド・ロビンの順番で第２の制御チャネル・インターレースに割り当てる。プロセスは、任意の数の非取り扱いセクタ制御チャネルに拡張することができ、そして任意の数の制御チャネル・インターレースに拡張することができる。
【００７６】
図４Ｄは、制御チャネル・インターレーシングの実施形態の単純化した時間−論理チャネル図２４０である。図４Ｄの実施形態は、インターレース・コントローラがデータ・インターレースをモニタし、そして制御チャネル・メッセージを選択的にパンクチャするように動作するプロセスを説明する。
【００７７】
上に説明したように、データ・チャネルは、複数のデータ・インターレースのうちの１つに割り当てられることができる。データ・インターレースの数は、制御チャネル・インターレースの数とは異なることがある。図４Ｄの実施形態では、３個のデータ・インターレースと２個の制御チャネル・インターレースがある。
【００７８】
データ・チャネル２４２は、３個のデータ・インターレースのうちの１つに割り当てられる。制御チャネルは、インターレース・プロセスにしたがって２個の制御チャネル・インターレースのうちの１つに割り当てられる。図４Ｄの実施形態では、取り扱いセクタ制御チャネル、ＣＣ１  ２４４、と第１の非取り扱いセクタ制御チャネル、ＣＣ２  ２４６は、第１の制御チャネル・インターレースに割り当てられる、一方で、第２の非取り扱いセクタ制御チャネル、ＣＣ３  ２４８は、第２の制御チャネル・インターレースに割り当てられる。
【００７９】
インターレース・コントローラは、制御チャネル・インターレースが割り当てられたデータ・チャネル・インターレースに一致するときに、非取り扱いセクタの制御チャネル・メッセージをパンクチャするように動作する。第１の時間ピリオド２５０において、送信機は、データ・チャネル２４２及び取り扱いセクタ制御チャネルＣＣ１  ２４４と第１の非取り扱いセクタ制御チャネルＣＣ２  ２４６を送信するようにスケジュールされる。しかしながら、データ・インターレースが制御チャネル・インターレースと一致するために、インターレース・コントローラは、非取り扱いセクタ制御チャネル・メッセージをパンクチャする。そのように、インターレース・コントローラは、第１の非取り扱いセクタ制御チャネルＣＣ２  ２４６に対する制御メッセージをパンクチャする、又はそうでなければその送信を省略するように動作する。この同じ状況は、第３の時間ピリオド２５４において生じ、そしてインターレース・コントローラは、第１の非取り扱いセクタ制御チャネルＣＣ２  ２４６に対応する制御メッセージをパンクチャするように再び動作する。
【００８０】
第２の時間ピリオド２５２では、データ・インターレースは、第２の制御チャネル・インターレースと一致する。インターレース・コントローラは、第２の制御チャネル・メッセージをパンクチャするように動作する。
【００８１】
インターレース・コントローラは、そのように非取り扱いセクタ制御チャネルがデータ・チャネルに一致するときはいつでも、非取り扱いセクタ制御チャネルに対応する制御メッセージをパンクチャするように動作する。制御チャネル・メッセージをパンクチャすることは、非取り扱いセクタ制御チャネルに対応する制御メッセージが本質的にデータ・チャネルに何の効果も持たない場合に有利であり得る。非取り扱いセクタ制御チャネルは、可能性のあるリンク制限のデータ・チャネルを劣化させない。そのように、取り扱いセクタのアクセス・ポイントに対して、アクセス端末は、どんな非取り扱いセクタ制御チャネルもない状態で動作するように見える。
【００８２】
図２、図３、及び図４Ａ−図４Ｅに関連して上で説明した実施形態が、時間インターレースされているＯＦＤＭ制御チャネル通信に注目してきたが、制御チャネルは、ＯＦＤＭ制御チャネルに限定されることなく、そして制御チャネルのインターレーシングは、時間インターレーシングに限定されない。アクセス端末は、アクセス可能なリソースを使用して１又はそれより多くの制御チャネル通信をインターレースすることができる。例えば、アクセス端末は、時間、周波数、コード、又はそれらのある組み合わせのインターレースを介して複数の制御チャネル通信をインターレースすることができる。アクセス端末は、複数のインターレースが互いに相対的に直交するように制御チャネル通信を構成することができる。例えば、アクセス端末は、相対的に直交する時間、周波数、コード、若しくは直交リソースのある組み合わせ又は非直交リソースと１又はそれより多くの直交リソースとの組み合わせ、を介して複数の制御チャネル通信をインターレースすることができる。
【００８３】
１つの実施形態では、アクセス端末は、様々な制御チャネルを周波数ドメイン・インターレースすることができる。同様に、別の１つの実施形態では、アクセス端末は、制御チャネル通信をコード分割インターレースすることができる。別のアクセス端末の実施形態は、インターレース機構の組み合わせを実行することができ、例えば、時間とコードのある組み合わせ、又は周波数とコードのある組み合わせを介して制御チャネル通信をインターレースする。
【００８４】
インターレースの数及び制御チャネル・インターレースの数が、例えば、絶えず変化することがある、又は通信システムによって指定されるオーバーヘッド・パラメータであり得ることが、注目されるはずである。
【００８５】
図５は、制御チャネル・インターレーシングの方法５００の１実施形態の単純化したフローチャートである。方法５００は、例えば、図３の送信機のインターレース・コントローラによって実行されることができる。
【００８６】
方法５００は、ブロック５１０において始まり、そこではインターレース・コントローラはそこに複数の制御チャネル・リンクがあることを判断する。例えば、取り扱いセクタに対応する制御チャネルに加えられた制御チャネル割当てを、アクセス端末が既に受け取っているかを判断することによって、インターレース・コントローラは、これを判断することができる。他の１つの例では、アクセス端末が１又はそれより多くのフラッグ又はステータス・インディケータ、それは複数の制御チャネル割当ての存在を示す、を介して複数の制御チャネルを割り当てられていることを、インターレース・コントローラは判断することができる。
【００８７】
インターレース・コントローラは、判断ブロック５２０に進み、そしてデータ通信リンクがリンク制限されているものであるかどうかを判断する。例えば、複数の制御チャネルがリンク制限のチャネルを劣化させる可能性を有する状況においてのみ、インターレース・コントローラは、制御チャネルをインターレースするように構成されることができる。インターレース・コントローラは、そのリンクに割り当てられるデータ・レートを決定することにより、又はリンク品質のある尺度、例えば、通信リンクに対するＣＱＩを検査することによって、データ通信リンクがリンク制限されていることを判断することができる。その代わりに又はそれに加えて、インターレース・コントローラは、アクセス端末がハンドオフを処理していることを判断することによって、データ・チャネルがリンク制限であることを判断することができる。
【００８８】
もし、データ・チャネルがリンク制限でないことをインターレース・コントローラが判断するのであれば、インターレース・コントローラは、判断ブロック５２０からブロック５７０に進み、そして制御チャネル・メッセージをインターレースしない。もし、その代わりに、データ・チャネルがリンク制限であることをインターレース・コントローラが判断するのであれば、インターレース・コントローラは、判断ブロック５２０からブロック５３０へと進む。
【００８９】
ブロック５３０において、インターレース・コントローラは、アクセス端末に割り当てられた制御チャネルの実際の数を決定する。ある複数の実施形態では、この機能は、ブロック５１０で実行される機能に統合されることができる。
【００９０】
アクセス端末に割り当てられた制御チャネルの数を決定した後で、インターレース・コントローラは、ブロック５４０に進み、そして例えば、ＯＦＤＭシンボルに対するシンボル・タイミングを決定する。シンボル・タイミングは、シンボル・フレーム・タイミングとスロット・タイミングとを含むことができ、そして複数のシンボルのフレーム中のそのシンボルの位置を識別する参照番号を含むことができる。
【００９１】
インターレース・コントローラは、ブロック５５０に進み、そしてもしあるならば、そのアクセス端末に対するデータ・チャネルに割り当てられたデータ・インターレースを決定する。それに加えて、インターレース・コントローラは、どのデータ・インターレースが現在アクティブであるか、又はどのインターレースが送信のために設定されようとしているかを決定することができる。前に説明したように、データ・チャネルは、複数のデータ・インターレースから１又はそれより多くの特定のデータ・インターレースを割り当てられることができる。データ・インターレースの識別情報は、非取り扱い制御チャネル・メッセージをパンクチャするそれらのインターレース・プロセスに対して好都合であり得る。
【００９２】
インターレース・プロセッサは、ブロック５６０に進み、そしてそのアクセス端末に割り当てられた制御チャネル・インターレースを決定し、そして制御チャネル・インターレースのうちのどれが、現在アクティブであるか、又は送信のために設定されようとしているかを決定する。１つの実施形態では、インターレース・コントローラは、複数の制御チャネル・インターレースを決定することができ、そして割り当てることができる。インターレース・コントローラは、ブロック５７０に進み、そして図４Ａから図４Ｅに示されたプロセスの１つのような制御チャネル・インターレース・プロセスに基づいて、１又はそれより多くの制御チャネル・メッセージに対して決定された制御チャネル・インターレースを設定する。
【００９３】
図６は、制御チャネル・インターレーシングの方法６００の１実施形態の単純化したフローチャートである。方法６００は、図２の受信機システム又は図３のインターレース・コントローラによって実行されることができる。
【００９４】
方法６００は、ブロック６１０において始まり、そこでは受信機システムは、アクセス端末がハンドオフ状態で動作していることを判断する。そのような状態は、取り扱いセクタに対するＣＱＩの減少と１又はそれより多くの候補セクタの利用可能性との組み合わせの結果として生じることがある。アクセス端末は、候補セクタのそれぞれから制御チャネルを要請することができる。
【００９５】
受信機システムは、ブロック６２０に進み、候補セクタの数を決定する。受信機システムは、例えば、１又はそれより多くのフラッグ又はインディケータに基づいて、候補セクタの数を決定することができる。受信機システムは、ブロック６３０に進み、そして制御チャネル・インターレース・タイミングを決定し、そしてどの制御チャネル・インターレースがアクティブであるか又はそうでなければ現在処理されているかを判断する。
【００９６】
受信機システムは、ブロック６４０に進み、そしてアクティブな制御チャネル・インターレースの識別情報に部分的に基づいて取り扱いセクタに対する制御チャネル・メッセージを選択的に設定するように取り扱いセクタ制御モジュールに命令する。例えば、もし、そのアクティブな制御チャネル・インターレースに対して生成されるべき取り扱いセクタ制御メッセージが何もないと制御チャネル・インターレース・プロセスが決定することを、受信機システムが判断する場合に、その受信機システムは、その取り扱いセクタに対する制御メッセージを設定することを取り扱いセクタ制御モジュールに命令しないことができる。
【００９７】
受信機システムは、ブロック６５０に進み、そして１又はそれより多くの非取り扱いセクタ制御チャネルに対応する１又はそれより多くの制御メッセージを設定するように非取り扱いセクタ制御モジュールに選択的に命令する。制御チャネル・インターレース及びその制御チャネル・インターレースに関係する制御チャネルの識別情報に少なくとも部分的に基づいて、制御メッセージのうちのどれを設定すべきか、そしてそれゆえ、非取り扱いセクタのうちのどれと通信するかを、受信機システムは、決定する。ある複数の実施形態では、受信機システムは、同様にデータ・チャネル・インターレースを決定することができ、そしてそのデータ・チャネル・インターレースに基づいて制御メッセージを選択的にパンクチャすることができる。
【００９８】
受信機システムは、ブロック６６０に進み、そして制御チャネル論理チャネルをＯＦＤＭシンボルの物理チャネルにマッピングするように信号マッパに命令する。論理から物理へのマッピングは、予め決められた周波数ホッピング・アルゴリズム、パターン、又は系列にしたがって実行されることができる。受信機システムは、ブロック６７０に進み、その中に含まれる適切な制御チャネル・メッセージを有するＯＦＤＭシンボルを送信する。
【００９９】
図７は、制御チャネル・インターレーシングを実行する送信機７００の実施形態の単純化した機能的ブロック図である。送信機７００は、その送信機７００に割り当てられた制御チャネルの数を決定するための手段７１０を含み、そして取り扱われる必要がある制御チャネル・リンクの数を決定することができる。制御チャネルの数を決定するための手段７１０は、１又はそれより多くの非取り扱いセクタ制御チャネルを決定するための手段を含むことができ、そして非取り扱いセクタ制御チャネルの数を決定することができる。送信機７００は、しかもリンク制限されたデータ・リンクを決定するための手段７２０も含み、それは送信機７００がハンドオフであるかどうかを決定するための手段を含むことができる。
【０１００】
送信機７００は、同様に、タイミングを決定するための手段７３０も含み、それは制御チャネル・インターレース・タイミングを決定するための手段、同様にデータ・インターレース・タイミングを決定するための手段を含むことができる。タイミングを決定するための手段７３０は、しかもＯＦＤＭシンボル・タイミングを決定するための手段を含むことができ、そしてそのシンボル・タイミングは、スロット・タイミング又はフレーム・タイミングを含むことができる。
【０１０１】
上に記述された送信機７００の機能ブロックのそれぞれは、制御チャネル・メッセージを構成するための手段７４０に接続される。制御チャネル・メッセージを構成するための手段７４０は、そのタイミング、制御チャネルの数、及びリンク制限のデータ・チャネルの存在に部分的に基づいて、１又はそれより多くの割り当てられた制御チャネルに対応する１又はそれより多くの制御チャネル・メッセージを選択的に構成することができる。制御チャネル・メッセージを構成するための手段７４０は、複数の制御チャネルをインターレースするための手段を含むことができる。
【０１０２】
制御チャネル・メッセージを構成するための手段７４０の出力は、ＯＦＤＭシンボルを生成するための手段７５０につなげられる。ＯＦＤＭシンボルを生成するための手段７５０は、複数のＯＦＤＭサブキャリアのＩＦＦＴを実行するように動作することができ、複数のＯＦＤＭシンボル・サンプルを生成する。
【０１０３】
ＯＦＤＭシンボルを生成するための手段７５０は、ＯＦＤＭシンボルを送信するための手段７６０に複数のＯＦＤＭシンボル・サンプルをつなげる。ＯＦＤＭシンボルを送信するための手段７６０は、ＯＦＤＭサンプルを処理し、そしてＲＦチャネルに周波数変換するために構成されることができ、そのＲＦチャネルを経由してＯＦＤＭシンボルが送信される。
【０１０４】
装置及び方法は、複数の制御チャネル割当てに対応する制御チャネル・メッセージをインターレースするように本明細書中に記載される。各制御チャネル割当ては、ＯＦＤＭシステムのサブキャリアの部分集合内で生じることがある。制御チャネル・メッセージは、その無線システムによってサポートされる１又はそれより多くの制御チャネル・インターレースの全体にわたりインターレースされる。
【０１０５】
複数のインターレース・プロセスのいずれもが、様々な制御チャネル及び基盤となる制御チャネル・メッセージをインターレースすることを可能にするために実行されることができる。非取り扱いセクタの制御チャネルは、例えば、ラウンド・ロビン方式で多重化されることができる、若しくは１又はそれより多くのインターレースの中でグループ分けされることができる、又は別個のインターレースに割り当てられることができる。インターレース・コントローラは、割り当てられたデータ・インターレースを追跡することができ、そして、制御チャネル・インターレースがデータ・インターレースと偶然に一致する場合に、非取り扱いセクタ制御チャネルに対応するその制御チャネル・メッセージを選択的にパンクチャすることができる。
【０１０６】
本装置及び方法は、リンク制限のデータ・チャネルの性能を実質的に劣化させることなく送信機が複数の制御チャネル割当てをサポートすることを可能にする。制御チャネル・インターレーシングは、制御チャネルに割当てられる電力の量を削減し、データ・チャネルに割り当てられることができる電力を最適化する。
【０１０７】
本明細書中で使用されるように、用語つなげられる（coupled）又は接続される（connected）は、直接的につなげること又は直接接続と同様に、間接的につなげることを意味するように使用される。２又はそれより多くのブロック、モジュール、デバイス、又は装置がつなげられる場合、その２つのつなげられるブロックの間に１又はそれより多くの介在するブロックがあり得る。
【０１０８】
本明細書中に開示された実施形態に関連して記載された様々な例示の論理ブロック、モジュール、及び回路は、汎用プロセッサ、ディジタル信号プロセッサ（ＤＳＰ：digital signal processor）、縮小命令セット・コンピュータ（ＲＩＳＣ：Reduced Instruction Set Computer）プロセッサ、用途特定集積回路（ＡＳＩＣ：application specific integrated circuit）、フィールド・プログラマブル・ゲートアレイ（ＦＰＧＡ：field programmable gate array）又は他のプログラマブル論理デバイス、ディスクリート・ゲート論理回路又はトランジスタ論理回路、ディスクリート・ハードウェア・コンポーネント、又は本明細書中で説明された機能を実行するために設計されたこれらのいずれかの組み合わせで、与えられる又は実行されることができる。汎用プロセッサは、マイクロプロセッサであり得るが、しかし代わりに、プロセッサは、いずれかのプロセッサ、コントローラ、マイクロコントローラ、又はステート・マシンであり得る。プロセッサは、演算デバイスの組み合わせとして与えられることができ、例えば、ＤＳＰとマイクロプロセッサとの組み合わせ、複数のマイクロプロセッサの組み合わせ、ＤＳＰコアとともに１又はそれより多くのマイクロプロセッサの組み合わせ、若しくはいずれかの別のそのような構成の組み合わせであり得る。
【０１０９】
本明細書中に開示された実施形態に関連して説明された方法、プロセス又はアルゴリズムのステップは、ハードウェアにおいて、プロセッサにより実行されるソフトウェア・モジュールにおいて、又は両者の組み合わせにおいて直接実現されることができる。方法又はプロセス中の様々なステップ又は動作は、示された順番で実行されることができる、又は別の順番で実行されることができる。それに加えて、１又はそれより多くのプロセス又は方法のステップが、省略されることができる、若しくは、１又はそれより多くのプロセス又は方法のステップが、その方法及びプロセスに追加されることができる。追加のステップ、ブロック、又は動作は、本方法及びプロセスの既存の要素の始めに、終わりに、又は中間に追加されることができる。
【０１１０】
開示された実施形態の上記の説明は、当業者が、本開示を作成する又は使用することを可能にするために提供される。これらの実施形態への様々な変形は、当業者に容易に明白にされるであろう。そして、ここで規定された一般的な原理は、本開示の精神及び範囲から逸脱することなく、別の実施形態に適用されることができる。それゆえ、本明細書は、ここに示された実施形態に限定することを意図したものではなく、本明細書中に開示された原理及び新奇な機能と整合する最も広い範囲に一致すべきである。
【符号の説明】
【０１１１】
１００…多元接続無線通信システム，１０２，１０４，１０６…セル，１１２，１１４，１１６，１１８，１２０，１２２，１２４，１２６，１２８…アンテナ，１３０，１３２，１３４，１３６，１３８，１４０…アクセス端末，１４２，１４４，１４６…アクセス・ポイント，４００…多元接続無線通信システム，４１０…送信機システム，４２４，４５２…アンテナ，３００…送信処理サブシステム，２５０，２５２，２５４…時間ピリオド，７００…送信機。
【図１】
2011091803.tif 000003
【図２】
2011091803.tif 000004
【図３】
2011091803.tif 000005
【図４Ａ】
2011091803.tif 000006
【図４Ｂ】
2011091803.tif 000007
【図４Ｃ】
2011091803.tif 000008
【図４Ｄ】
2011091803.tif 000009
【図４Ｅ】
2011091803.tif 000010
【図５】
2011091803.tif 000011
【図６】
2011091803.tif 000012
【図７】
2011091803.tif 000013
【手続補正書】
【提出日】平成22年11月16日(2010.11.16)
【手続補正１】
【補正対象書類名】特許請求の範囲
【補正対象項目名】全文
【補正方法】変更
【補正の内容】
【特許請求の範囲】
【請求項１】
無線デバイスに割り当てられた複数の制御チャネルを介して通信を構成する方法であって、
データ・チャネル・インターレース及び複数の制御チャネル・インターレースを決定すること；
該複数の制御チャネル・インターレースを介して該複数の制御チャネルに対する制御チャネル通信を割り当てること；及び
該データ・チャネル・インターレースに基づいて該制御チャネル通信の少なくとも一部分を選択的にパンクチャすること
を具備する方法。
【請求項２】
該複数の制御チャネル・インターレースを決定することは；
該無線デバイスに割り当てられた別個の制御チャネルの数を決定すること；及び
該無線デバイスに割り当てられた複数の別個の制御チャネルのそれぞれに対して制御チャネルを設定すること、
を備える、請求項１の方法。
【請求項３】
該複数の制御チャネル・インターレースを決定することは；
該複数の制御チャネルのうちで別個の制御チャネルの数の決定すること；及び
該複数の制御チャネルの各々に別個の制御チャネル・インターレースを割り当てることを備える、請求項１の方法。
【請求項４】
該複数の制御チャネル・インターレースを決定することは、予め決められた数の制御チャネル・インターレースを決定することを備える、請求項１の方法。
【請求項５】
制御チャネル通信を割り当てることは：
取り扱いセクタの制御チャネル通信のために第１の制御チャネル・インターレースを割り当てること；及び
少なくとも１つの非取り扱いセクタとの制御チャネル通信のために該第１の制御チャネル・インターレースとは異なる第２の制御チャネル・インターレースを割り当てることを備える、請求項１の方法。
【請求項６】
該第２の制御チャネル・インターレースが該データ・チャネル・インターレースに一致するときに、該第２の制御チャネル・インターレースにおける情報をパンクチャすること、をさらに備える、請求項５の方法。
【請求項７】
制御チャネル通信を割り当てることは、該制御チャネル・インターレースに基づいて該制御チャネルのうちの特定の１つに対する制御メッセージを構成することを備える、請求項１の方法。
【請求項８】
制御チャネル通信を割り当てることは：
該複数の制御チャネル・インターレースからアクティブな制御チャネル・インターレースを決定すること；
該アクティブな制御チャネル・インターレースに対応する論理制御チャネルを構成すること；及び
直交周波数分割多重化（ＯＦＤＭ）シンボルのサブキャリアの部分集合にマッピングすること
を備える、請求項１の方法。
【請求項９】
サブキャリアの該部分集合に該論理制御チャネルをマッピングすることは、周波数ホッピング・アルゴリズムにしたがって、該サブキャリアの部分集合に該論理制御チャネルをマッピングすることを備える、請求項８の方法。
【請求項１０】
無線デバイスに割り当てられた複数の制御チャネルを介して通信を構成する方法であって、
ハンドオフ状態を判断すること；
取り扱いセクタの制御チャネル割当てを決定すること；
非取り扱いセクタの少なくとも１つの制御チャネル割当てを決定すること；
データ・チャネル・インターレース及び制御チャネル・インターレースを決定すること；
該取り扱いセクタの該制御チャネル割当て又は該非取り扱いセクタの該少なくとも１つの制御チャネル割当てのうちの１つに対する制御メッセージを選択的に構成すること；及び
該データ・チャネル・インターレースに基づいて該制御メッセージを選択的にパンクチャすること
を具備する方法。
【請求項１１】
少なくとも１つの直交周波数分割多重化（ＯＦＤＭ）シンボル中の複数のサブキャリアに該制御メッセージをマッピングすることをさらに具備する、請求項１０の方法。
【請求項１２】
該制御チャネル・インターレースを決定することは：
該取り扱いセクタの該制御チャネル割当てに対応する第１の制御チャネル・インターレースを決定すること；及び
該非取り扱いセクタの該少なくとも１つの制御チャネル割当てに対応する少なくとも１つの追加制御チャネル・インターレースを決定すること
を備える、請求項１０の方法。
【請求項１３】
該制御メッセージを選択的にパンクチャすることは：
該データ・インターレースが該制御チャネル・インターレースの少なくとも一部分と重なる場合に、そして該制御メッセージが該非取り扱いセクタの該少なくとも１つの制御チャネル割当てに対して構成される場合に、該制御メッセージをパンクチャすること、
を備える、請求項１０の方法。
【請求項１４】
複数の割り当てられた制御チャネルを介して通信を構成する装置であって、
取り扱いセクタに対応する論理制御チャネルを介した通信のために第１の制御メッセージを選択的に構成するために構成された取り扱いセクタ制御モジュール；
非取り扱いセクタに対応する論理制御チャネルを介した通信のために第２の制御メッセージを選択的に構成するために構成された非取り扱いセクタ制御モジュール；及び
データ・チャネル・インターレース及び制御チャネル・インターレースを決定するため、そして該データ・チャネル・インターレース及び該制御チャネル・インターレースに基づいて該取り扱いセクタ制御モジュール又は非取り扱いセクタ制御モジュールのうちの１つをアクティブにするため、及び該データ・チャネル・インターレースに基づいて該非取り扱いセクタ制御モジュールに対応する制御メッセージを選択的にパンクチャするため、に構成されたインターレース・コントローラ
を具備する装置。
【請求項１５】
該インターレース・コントローラは、第１の制御チャネル・インターレースの間に該取り扱いセクタ制御モジュールをアクティブにするため、そして第２の制御チャネル・インターレースの間に該非取り扱いセクタ制御モジュールをアクティブにするために構成される、請求項１４の装置。
【請求項１６】
該インターレース・コントローラは、取り扱いセクタ制御チャネル割当て及び少なくとも１つの非取り扱いセクタ制御チャネル割当てのそれぞれに別個の制御チャネル・インターレースを割り当てるために構成される、請求項１４の装置。
【請求項１７】
該非取り扱いセクタ制御モジュールは、複数の非取り扱いセクタのそれぞれに制御メッセージをインターレースするために構成される、請求項１４の装置。
【請求項１８】
該非取り扱いセクタ制御モジュールは、複数の非取り扱いセクタ制御チャネルのそれぞれに対応する複数の制御メッセージを同時に構成するために構成される、請求項１４の装置。
【請求項１９】
該取り扱いセクタ制御モジュール及び該非取り扱いセクタ制御モジュールに接続され、そしてサブキャリア・マップに対する論理チャネルにしたがってＯＦＤＭシンボルのサブキャリアに該取り扱いセクタに対応する該論理制御チャネルと該非取り扱いセクタに対応する該論理制御チャネルのそれぞれをマッピングするために構成された制御チャネル・マッパ
をさらに具備する、請求項１４の装置。
【請求項２０】
該制御チャネル・マッパに接続され、そして周波数ホッピング・アルゴリズムにしたがってサブキャリア・マップに対する該論理制御チャネルを生成するために構成されたホップ割当てモジュールをさらに備える、請求項１９の装置。
【請求項２１】
複数の割り当てられた制御チャネルを介して通信するために構成された装置であって、  複数の制御チャネルに対応する制御チャネル割当ての数を決定するための手段；
データ・チャネル・インターレース及び制御チャネル・インターレース・タイミングを決定するための手段；及び
該データ・チャネル・インターレース及び該制御チャネル・インターレース・タイミング及び該制御チャネル割当ての数に基づいて１又はそれより多くの該制御チャネル割当てに対応する少なくとも１つの制御チャネル・メッセージを構成するため、及び該データ・チャネル・インターレースに基づいて該制御チャネル・メッセージの少なくとも一部分を選択的にパンクチャするための手段
を具備する装置。
【請求項２２】
該制御チャネル割当ての数を決定するための該手段は、非取り扱いセクタ制御チャネルの数を決定するための手段を備える、請求項２１の装置。
【請求項２３】
少なくとも１つの制御チャネル・メッセージを構成するための該手段は、少なくとも１つの制御チャネル・インターレースを介して該複数の制御チャネルをインターレースするための手段を備える、請求項２１の装置。
【請求項２４】
下記のステップを実行するためのコンピュータ・プログラムでエンコードされたコンピュータ読み取り可能な媒体であって、該ステップは：
データ・チャネル・インターレース及び複数の制御チャネル・インターレースを決定すること；
該複数の制御チャネル・インターレースを介して該複数の制御チャネルのそれぞれの通信をインターレースすること；及び
該データ・チャネル・インターレースに基づいて該通信の少なくとも一部分を選択的にパンクチャすること
を具備することを特徴とする、コンピュータ読み取り可能な媒体。
【請求項２５】
下記のステップを実行するためのコンピュータ・プログラムでエンコードされたコンピュータ読み取り可能な媒体であって、該ステップは：
ハンドオフ状態を判断すること；
取り扱いセクタの制御チャネル割当てを決定すること；
非取り扱いセクタの少なくとも１つの制御チャネル割当てを決定すること；
データ・チャネル・インターレース及び制御チャネル・インターレースを決定すること；
該取り扱いセクタの該制御チャネル割当て又は該非取り扱いセクタの該少なくとも１つの制御チャネル割当てのうちの１つに対する制御メッセージを選択的に構成すること；及び
該データ・チャネル・インターレースに基づいて該制御メッセージを選択的にパンクチャすること
を具備することを特徴とする、コンピュータ読み取り可能な媒体。
【外国語明細書】
2011091803000001.pdf